(57)【特許請求の範囲】
【請求項１】
放射線発生手段と、この放射線発生手段からの放射線であって被検査物を透過した放射線を検出する放射線検出手段と、これら放射線発生手段と放射線検出手段が設置され、被検査物の搬出入のための開口部を有するＸ線防護箱と、前記開口部を通して前記放射線発生手段と放射線検出手段の間に被検査物を搬出入する手段と、前記開口部から外部へ放射線が漏洩するのを防止するための放射線防護手段を備えた放射線検出装置において、前記放射線防護手段を、前記開口部の内側上部に配設され水平に延在するレール状の支持枠と、この支持枠に水平方向から滑り込ませて着脱可能に架設できるカセット枠と、このカセット枠に吊架された放射線遮断シールドにて構成したことを特徴とする放射線検査装置。
【請求項２】
前記支持枠の奥側にスイッチを備え、前記カセット枠を前記支持枠に架設した状態のとき、前記カセット枠が前記スイッチを押すことによりインターロック機構が解除され前記放射線発生手段への電気エネルギー供給が可能となることを特徴とする請求項１記載の放射線検査装置。
【発明の詳細な説明】
【０００１】
【発明の属する技術分野】
本発明は、例えば医療用器具、食品中の異物などを非破壊で検査するための放射線検査装置に関する。
【０００２】
【従来の技術】
従来における放射線検査装置を、食品用Ｘ線検査装置を例として説明する。一般にこの種の検査装置では、コンベアにて被検査物をＸ線管とＸ線検出器の間に流し、Ｘ線管で発生したＸ線をコンベア上の被検査物に照射し、被検査物を透過したＸ線を１次元Ｘ線検出器で検出して、その透過像または透過データにて異物の有無を判定している。すなわち、図３に示すとおり、放射線検査装置１のＸ線防護箱１ａには、搬入口２と搬出口３が設けられ、その間を被検査物４が載置されたコンベア５が貫通している。作業者６は搬出口３側に立って異物検査にあたるが、その作業者６を漏洩放射線から防護するため、搬入口２と搬出口３には、この開口部から放射線が外部に漏洩するのを防止するための防護手段、具体的には鉛入りゴム製ノレン７ａがそれぞれ配置される。なお、８は扉で、放射線検査装置１の前面のＸ線防護箱１ａに設けられている。
【０００３】
【発明が解決しようとする課題】
従来の放射線検査装置１は以上のとおりであるが、コンベア５などで連続的に被検査物４を搬送検査する必要があるため、Ｘ線防護箱１ａの搬入口２および搬出口３の開口部での漏洩放射線量がもっとも大きくなっている。そのために搬入口２および搬出口３には鉛入りゴム製ノレン７ａを設けて、漏洩放射線から周囲の作業者６を保護しているが、この鉛入りゴム製ノレン７ａは、安全上、取り外しができないように、あるいは取り外しにくい構造となっている。ところがこの種の放射線検査装置１は、その精度向上、維持を図るべく定期的なメンテナンス、すなわち点検、修理、チェックを必要とし、部品の洗浄も必要となる。この場合、防護手段としての鉛入りゴム製ノレン７ａの取り外しが困難であると同時に装着も面倒で、この種の作業に時間と労力を要していた。
本発明は、このような課題を解決する放射線検査装置を提供することを目的とする。
【０００４】
【課題を解決するための手段】
本発明が提供する放射線検査装置は、前記課題を解決するために、放射線発生手段と、この放射線発生手段からの放射線であって被検査物を透過した放射線を検出する放射線検出手段と、これら放射線発生手段と放射線検出手段が設置され、被検査物の搬出入のための開口部を有するＸ線防護箱と、前記開口部を通して前記放射線発生手段と放射線検出手段の間に被検査物を搬出入する手段と、前記開口部から外部へ放射線が漏洩するのを防止するための放射線防護手段を備えた放射線検出装置において、前記放射線防護手段を、前記開口部の内側上部に配設され水平に延在するレール状の支持枠と、この支持枠に水平方向から滑り込ませて着脱可能に架設できるカセット枠と、このカセット枠に吊架された放射線遮断シールドにて構成したことを特徴とする。
さらに本発明は、前記支持枠の奥側にスイッチを備え、前記カセット枠を前記支持枠に架設した状態のとき、前記カセット枠が前記スイッチを押すことによりインターロック機構が解除され前記放射線発生手段への電気エネルギー供給が可能となることを特徴とする。これにより、より安全に鉛入りゴム製ノレンを検査装置から容易に着脱でき、洗浄が容易となる。
【０００５】
【発明の実施の形態】
以下、本発明の提供する放射線検査装置を、図面にしたがって説明する。
図１は本発明が提供する放射線検査装置における放射線防護手段の構成を示す図である。図２は本発明のインターロック機構の作動を示す図であり、（ａ）はカセット式鉛入りゴム製ノレンが放射線検査装置に装着されている状態を示す図、（ｂ）はカセット式鉛入りゴム製ノレンが放射線検査装置から離脱した状態を示す図である。
【０００６】
図１において本発明の放射線検査装置１を概略的に説明する。
図１は本発明のカセット式の防護手段を斜視的に示す図で、９はカセット枠であり、このカセット枠９に鉛入りゴム製ノレン７が吊架される。１０はこのカセット枠９を支持する一対の支持枠であり、放射線検査装置１のＸ線防護箱１ａ内の搬出口３付近における内壁に突設されている。そして、この一対の支持枠１０間の突き当たりにはインターロック機構としてのスイッチ１１が配置されている。なお、図示はしていないが放射線検査装置１内の搬入口２付近にも同様の構成が設けられている。
【０００７】
本発明における放射線検査装置１、特に放射線防護手段の構成は以上述べたとおりであるから、鉛入りゴム製ノレン７を取り出す場合、まず、放射線検査装置１（Ｘ線防護箱１ａ）の扉８を開いて、鉛入りゴム製ノレン７を吊架したカセット枠９を支持枠１０から矢印方向に引き出す。その後、鉛入りゴム製ノレン７および放射線検査装置１内が洗浄され、再び鉛入りゴム製ノレン７が吊架されたカセット枠９が支持枠１０に従って、放射線検査装置１内に装着される。そして扉８が閉められることにより、放射線検査装置１は再び検査可能状態となる。
【０００８】
このカセット式の鉛入りゴム製ノレン７の着脱時における安全性、すなわち、取り外した後は、放射線が発生しないよう安全を維持する必要があり、そのためのインターロック機構を図２（ａ）、（ｂ）に基づいて説明する。
本発明におけるインターロック機構は、カセット枠９の着脱によって放射線発生手段への電気エネルギーを供給する系に介在されるスイッチ１１をオンオフする機構にて構成される。すなわち、カセット枠９が挿入支持されることによって、このスイッチ１１が押されている状態では、電気エネルギー供給系が形成され、放射線検査装置１は検査可能状態となる。他方、カセット枠９を取り外すと、スイッチ１１が押されない状態となり、インターロック機構が作動し、放射線検査装置１には電源が入らず、検査不可能状態となる。
図２（ａ）は、鉛入りゴム製ノレン７が吊架されたカセット枠９が放射線検査装置１に装着されている状態を示している。この状態では、装着されたカセット枠９が、放射線検査装置１内に配置されたスイッチ１１を矢印方向に押すことにより、インターロック機構が解除され、放射線検査装置１が検査可能状態となっている。
図２（ｂ）は、鉛入りゴム製ノレン７が吊架されたカセット枠９が放射線検査装置１から矢印方向に離脱した状態を示している。この状態では、スイッチ１１が押されていないので、インターロック機構が作動し、放射線検査装置１に電源が入らず、したがって検査不可能状態となり、誤操作による放射線漏洩などの事故を防止することができる。また、より安全性を図るために扉８にも同様のインターロック機構を設ける。すなわち、扉８を開くときは、放射線発生手段による放射線が発生していないときのみ開くことができるようなロック機構である。
【０００９】
【発明の効果】
本発明の構成は以上説明したとおりであるから、放射線遮断用の鉛入りゴム製ノレンが着脱可能となり、鉛入りゴム製ノレンや、鉛入りゴム製ノレンを取り外した後の検査装置内の清掃が容易となり、衛生面の向上が図れる。また、インターロック機構により、鉛入りゴム製ノレンの着脱時の誤作動による放射線漏洩などの事故を防止できる。
【図面の簡単な説明】
【図１】本発明による放射線検査装置の要部を示す図である。
【図２】本発明によるカセット式鉛入りゴム製ノレンの着脱と、インターロック機構の関係を示す図である。
【図３】放射線検査装置の構成を概略的に示す斜視図である。
【符号の説明】
１…放射線検査装置
１ａ…Ｘ線防護箱
２…搬入口
３…搬出口
４…被検査物
５…コンベア
６…作業者
７、７ａ…鉛入りゴム製ノレン
８…扉
９…カセット枠
１０…支持枠
１１…スイッチ
【図１】
0003838078.tif 000002
【図２】
0003838078.tif 000003
【図３】
0003838078.tif 000004